(57)【要約】【課題】遠隔地にいる者が、波長分割多重伝送装置で使われている光学部品についての情報や、光学部品が取り付けられている位置の情報を収集する。【解決手段】通信回線網３００に、波長分割多重伝送装置１００および管理装置２００が接続されているシステムにおいて、各個別波長分割処理装部１３０は電波遮断材料によって覆われている。各個別波長分割処理装部１３０は、内部に、光学部品を有している。この光学部品にＲＦＩＤタグが取り付けられ、ＲＦＩＤタグは光学部品に関する情報を有している。ＲＦＩＤリーダおよびＲＦＩＤタグの通信範囲は、電波遮断材料に覆われている空間領域に限定され、管理装置２００は、各個別波長分割処理装部１３０に備わるＲＦＩＤリーダごとに、ＲＦＩＤタグの情報を取得する。【選択図】図３
2010011315.tif 000002
【特許請求の範囲】
【請求項１】
他装置とネットワークを介して通信を行う通信装置と、該通信装置に通信により接続された管理装置と、から構成される通信システムにおいて、
前記通信装置は、
通信のための複数の部品と、
前記部品に装着され、装着された部品の部品識別情報を記憶するタグメモリと、
この通信装置内を、複数の通信範囲に区画する電波遮断手段と、
前記電波遮断手段により区画された通信範囲毎に配置され、配置されている通信範囲内に配置された部品に装着されている前記タグメモリに格納された部品識別情報を読み取り、自己の識別情報である読取手段識別情報と対応付けて出力する読取手段と、
を備え、
前記管理装置は、前記通信装置の読取手段から出力される読取手段識別情報と部品識別情報とを対応付けて記憶及び／又は出力する管理手段を備える、
ことを特徴とする通信システム。
【請求項２】
前記部品識別情報は、部品の製造年月日、ロット番号、名称、取り付け日を示す情報を含む、
ことを特徴とする請求項１に記載の通信システム。
【請求項３】
前記管理装置の前記管理手段は、複数の通信装置の読取手段からの情報を受信し、通信装置の識別情報と読取手段識別情報と部品識別情報とを対応付けて記憶及び／又は出力する、
ことを特徴とする請求項１又は２に記載の通信システム。
【請求項４】
通信装置は、
部品が交換可能に配置された複数のユニットを備え、
前記電波遮断手段は、前記ユニットの導電性材料から構成された筐体から構成され、
前記読取手段は、前記ユニット毎に配置されている、
ことを特徴とする請求項１、２又は３に記載の通信システム。
【請求項５】
前記通信装置は、波長分割多重伝送装置から構成され、ラックと、該ラックに配置され、部品が交換可能に配置され、それぞれ対応する周波数の光信号を処理する複数の交換ユニットを備え、
前記電波遮断手段は、前記交換ユニットの導電性材料から構成された筐体から構成され、
前記読取手段は、前記交換ユニット毎に配置されている、
ことを特徴とする請求項１、２又は３に記載の通信システム。
【請求項６】
前記タグメモリはＲＦＩＤタグから構成される、
ことを特徴とする請求項１乃至５のいずれか１項に記載の通信システム。
【発明の詳細な説明】
【技術分野】
【０００１】
本発明は、通信システムに関する。
【背景技術】
【０００２】
光ネットワークを利用して、大容量かつ高速にデータを伝送する方式として、波長分割多重（WDM:Wavelength Division Multiplexing）方式が知られている。この波長分割多重伝送方式により光伝送を行う装置が、例えば、特許文献１に記載されている。
【特許文献１】特開２０００−４２１３号公報
【０００３】
上記文献に開示されているような波長分割多重伝送装置には、アッテネータ、光カプラなどの多数の光学部品及び電子部品が使用されている。
【発明の開示】
【発明が解決しようとする課題】
【０００４】
波長分割多重伝送装置の保守者は、装置の設置地に出向いて、配置されている部品の種類、実装されている位置、等を記録し、そして、コンピュータにこの情報を入力して記録・管理している。通信機能を備える部品であれば、部品のＩＤを通信により読み取ること等も可能であるが、通信機能を備えていない部品が圧倒的である。
【０００５】
しかし、波長分割多重伝送装置の場合、部品の交換が比較的頻繁に行われるため、交換部品の情報の更新・管理処理が煩雑であり、不正確になりやすい。
また、波長分割多重伝送装置は、類似構成であるが処理対象の波長が異なる信号処理ユニットを複数備えており、人による保守・管理では、誤りが発生しやすい。
【０００６】
同様の問題は、波長分割多重伝送装置に限らず、複数の部品を使用する装置に共通に存在する。
【０００７】
本発明は、上記実情に鑑みてなされたものであり、複数の部品を使用する装置の保守管理を容易にすることを目的とする。
【課題を解決するための手段】
【０００８】
上記目的を達成するために、本発明の通信システムは、
他装置とネットワークを介して通信を行う通信装置と、該通信装置に通信により接続された管理装置と、から構成される通信システムにおいて、
前記通信装置は、
通信のための複数の部品と、
前記部品に装着され、装着された部品の部品識別情報を記憶するタグメモリと、
この通信装置内を、複数の通信範囲に区画する電波遮断手段と、
前記電波遮断手段により区画された通信範囲毎に配置され、配置されている通信範囲内に配置された部品に装着されている前記タグメモリに格納された部品識別情報を読み取り、自己の識別情報である読取手段識別情報と対応付けて出力する読取手段と、
を備え、
前記管理装置は、前記通信装置の読取手段から出力される読取手段識別情報と部品識別情報とを対応付けて記憶及び／又は出力する管理手段を備える、
ことを特徴とする。
【発明の効果】
【０００９】
本発明の構成によれば、部品とその設置位置（区画）とを自動的に対応付け、リモートで管理することが可能となり、部品の管理が容易となる。
【発明を実施するための最良の形態】
【００１０】
（第一の実施形態）
次に、発明を実施するための最良の形態について、図面を参照して詳細に説明する。
【００１１】
図１に示すように、本発明の第一の実施形態に係る通信システム６０は、通信回線網３０を介して相互に接続された通信装置１０と管理装置２０とから構成されている。通信装置１０は、通信回線網３０或いは外部のネットワーク１９を介して他の通信装置と接続されており、相互に通信を行う。
【００１２】
通信装置１０内には、通信を行うための種々の処理を行う複数の部品１１が配置されている。部品１１は、ソケットに挿入される等の形態で、着脱可能・交換可能に配置されている。部品１１は、電子部品、光学部品、電光変換部品、光電変換部品等、任意である。
【００１３】
各部品１１には、タグメモリ１２が取り付けられている。タグメモリ１２は、ＲＦ−ＩＤ等から構成されており、無線（電波）により、情報の読み出しと書き込みが可能である。タグメモリ１２には、部品１１、部品識別情報を含む任意の情報が記録されている。部品識別情報は、部品の製造年月日、ロット番号、名称、取り付け日等を特定する情報を含んでいる。
【００１４】
なお、タグメモリ１２は、単体での通信機能を備えていない部品１１に配置されることが望ましい。部品１１自体、通信機能を備えている場合には、通信装置１０内に備わる制御部１７と通信することにより、その管理が可能になるからである。
【００１５】
通信装置１０内は、電波遮蔽体１４により、複数の通信区画１３に区画されている。電磁遮蔽体１４は、例えば、電波を遮蔽或いは減衰する特性を有する材料から構成された筐体等から構成される。
【００１６】
各通信区画１３には、読取装置１５が配置されている。
【００１７】
各読取装置１５は、設置されている通信区画１３内のタグメモリ１２から識別情報を読み出す。各読取装置１５には、ユニークな読取装置ＩＤおよび識別番号が割り当てられている。
【００１８】
各読取装置１５は、内部バス１６を介して、装置全体を制御する制御部１７に接続されている。内部バス１６は、通信部１８を介して外部のネットワーク１９に接続されている。
【００１９】
管理装置２０は、管理部２１として機能するコンピュータを備え、通信回線網３０を介して、通信装置１０からデータを取得し、テーブル化して記憶すると共に表示部／出力装置に出力する。
【００２０】
次に、上記構成からなる通信システム６０の動作について説明する。
【００２１】
まず、通信装置１０は、部品１１等の働きにより、外部の通信装置と通信を行う。
【００２２】
一方、管理装置２０の管理部２１は、通信装置１０の部品１１の管理を行う場合、管理要求を通信回線網３０を介して制御部１７に送信する。
【００２３】
この要求に応答して、制御部１７は、ポインタをｉ＝１にして（ステップＳ１１）、識別番号ｉ（最初は１）が割り当てられている読取装置１５に問い合わせて、読取装置１５が記憶している各タグメモリ１２の識別情報を読み出す（ステップＳ１２）。そして、制御部１７は、読み出したタグ１２の識別情報を、読取装置１５の識別番号ｉと装置ＩＤとに対応付けて、記憶する（ステップＳ１３）。
【００２４】
次に、制御部１７は、ｉ＝ｎ（ｎは読取装置１５の個数）であるか否かを判別し、ｉ＝ｎでなければ（ステップＳ１４；Ｎｏ）、ｉ＝ｉ＋１にして（ステップＳ１５）、再び、ｉの識別番号が割り当てられている読取装置１５からタグメモリ１２に記憶されている識別情報を取得する（ステップＳ１２）。このようにして、制御部１７は、識別番号の１からｎまで順に、ステップＳ１１およびステップＳ１２を繰り返して、各読取装置１５が読み取ったタグメモリ１２の識別情報を個別に取得する。
【００２５】
識別番号ｎの読取装置１５からタグメモリ１２の識別情報を取得すると（ステップＳ１４；Ｙｅｓ）、制御部１７は、通信回線網３０を介して、通信部１８から管理装置２０へ、装置ＩＤと読取装置１５から読み出したタグメモリ１２の識別情報とを対応付けた情報を送信する（ステップＳ１６）。
【００２６】
タグメモリ１６の識別情報を取得した管理装置２０は、装置ＩＤとタグメモリ１２の識別情報とを対応付けた情報を出力装置などの画面に表示する（ステップＳ１７）。
【００２７】
なお、管理装置２０の画面には、読取装置１５のそれぞれに割り当てられた装置ＩＤと、それが読み取ったタグメモリ１２の識別情報とが対応付けられた情報が表示される。
【００２８】
なお、装置ＩＤのそれぞれは、通信区画１３に関連した情報であることが望ましい。このようにすることで、管理装置２０の画面には、通信区画１３に応じた装置ＩＤが表示されるので、遠隔地にいる保守・管理人でも、どの通信区画１３にどのような部品が備わっているかを、容易に把握することができる。
【００２９】
（第二の実施形態）
次に、第一の実施形態をより具体化し、第一の実施形態における通信装置を波長分割多重伝送装置とした第二の実施形態について説明する。
【００３０】
図３に示すように、本発明の第二の実施形態に係る光通信システム６００は、波長分割多重伝送装置１００と、管理装置２００と、通信回線網３００と、を備える。なお、波長分割多重伝送装置１００および管理装置２００は１台のみが図示されているが、複数台でもよい。
【００３１】
通信回線網３００は、ＷＡＮ（Wide Area Network）などから構成され、波長分割多重伝送装置１００および管理装置２００が接続されている。波長分割多重伝送装置１００および管理装置２００は、通信回線網３００を介して、各種のデータのやり取りを行う。なお、通信回線網３００は、ＷＡＮに限らず、データを伝送できるものであれば何でもよい。
【００３２】
管理装置２００は、一般的なＰＣ（Personal Computer）等から構成され、表示画面を備えて、波長分割多重伝送装置１００から送信されるデータを表示することができる。
【００３３】
波長分割多重伝送装置１００は、図４に示すように、データ処理部１１０と、波長分離部１２０と、個別波長信号処理部１３０と、波長多重部１４０と、光アンプ部１５０と、を備える。
【００３４】
波長分離部１２０は、デマルチプレクサを備え、光通信網（不図示）から送られるｎ波多重された光信号４００を波長別に分離する。そして、波長分離部１２０は、分離した各光信号を、各波長に対応する個別波長信号処理部１３０−１〜ｎに送信する。なお、図３および図４に示す「チャネル１〜ｎ」は、保守・管理人が識別しやすいように、個別波長信号処理部１３０−１〜ｎのそれぞれに付けられた名称である。
【００３５】
各個別波長信号処理部１３０は、光カプラやアッテネータなどの光学部品５５０を備え、それぞれ対応する波長の光信号を処理する。各個別波長信号処理部１３０は、送信時には、送信信号に基づいて、対応する波長の信号を調整して、光波長多重部１４０へ送信する。
【００３６】
個別波長信号処理部１３０は、それぞれ、図５に示すように、電波遮断板５８０によって覆われている。電波遮断板５８０は、電波を遮断する金属材料から構成される。
【００３７】
各個別波長信号処理部１３０が備える光学部品５５０には、それぞれＲＦＩＤタグ５１０が取り付けられている。
【００３８】
ＲＦＩＤタグ５１０は、ＲＦＩＤタグ５１０が取り付けられる光学部品５５０に関する情報、例えば、製造メーカー、型番、ロット番号、部品の種別、など、を有する。
【００３９】
また、各個別波長信号処理部１３０には、光学部品５５０に取り付けられたＲＦＩＤタグ５１０の情報を読み取るＲＦＩＤリーダ５００が取り付けられている。各ＲＦＩＤリーダ５００には、制御部１１１が識別できるように、１からｎまでの識別番号が割り当てられている。なお、ＲＦＩＤタグ５１０およびＲＦＩＤリーダ５００の通信範囲は、電波遮断板５８０で閉じられた空間の範囲に限定される。
【００４０】
波長多重部１４０は、マルチプレクサを備えて、各個別波長信号処理部１３０から送られた光信号をｎ波多重して、光アンプ部１５０へ送信する。
【００４１】
光アンプ部１５０は、ｎ波多重された光信号を、ある一定の信号レベルに増幅して、光通信網（不図示）へ送信する。
【００４２】
次に、データ処理部１１０の構成とその動作について説明する。
【００４３】
データ処理部１１０は、図６に示すように、制御部１１１と、記憶部１１２と、通信部１１３と、を備えている。
【００４４】
制御部１１１、記憶部１１２、および通信部１１３は、それぞれバス７００に接続されている。また、各個別波長信号処理部１３０内の各ＲＦＩＤリーダ５００もまた、バス７００に接続されている。
【００４５】
記憶部１１２は、ＲＡＭ（Random Access Memory）やＲＯＭ（Read Only Memory）などから構成され、各種のデータを記憶する。
【００４６】
記憶部１１２は、例えば、タグ情報１１４を記憶する。タグ情報１１４には、あらかじめ、各ＲＦＩＤリーダ５００に割り当てられた１からｎまでの識別番号に対応させて、各個別波長信号処理部１３０に名前付けされた「チャネル名」が格納されている。また、タグ情報１１４には、波長分割多重伝送装置１００が設置されている場所の情報（Ｘ県Ｙ市など）が格納されている。
【００４７】
通信部１１３は、通信回線網３００に接続されており、管理装置２００と通信してデータのやり取りをする。
【００４８】
制御部１１１は、ＣＰＵ（Central Proccessing Unit）等から構成され、記憶部１１２、通信部１１３、各ＲＦＩＤリーダ５００の動作を制御する。
【００４９】
また、制御部１１１は、各ＲＦＩＤリーダ５００が取得したＲＦＩＤタグ５１０の情報について各ＲＦＩＤリーダ５００に順次問い合わせて、これを各ＲＦＩＤリーダ５００から取得する。
【００５０】
制御部１１１は、各ＲＦＩＤリーダ５００に割り当てられている識別番号ごとに、各ＲＦＩＤリーダ５００から取得したＲＦＩＤタグ５１０の情報を管理情報１１４に格納する。
【００５１】
次に、図３に示す光通信システム６００において、管理装置２００がＲＦＩＤタグ５１０に関する情報をユーザに報知する動作について、図７に示すフロー図を用いて説明する。
【００５２】
表示装置２００が波長分割多重伝送装置１００にタグ情報１１４を要求すると、図７に示す報知動作が開始する。
【００５３】
この要求を受けた波長分割多重伝送装置１００の制御部１１１は、ポインタｉを１にして（ステップＳ７０１）、識別番号ｉ（最初は１）が割り当てられたＲＦＩＤリーダ５００に問い合わせて、ＲＦＩＤタグ５１０の情報を取得する（ステップＳ７０２）。そして、制御部１１１は、取得したＲＦＩＤタグ５１０の情報を、ＲＦＩＤリーダ５００の識別番号に対応付けて、タグ情報１１４に格納する（ステップＳ１３）。
【００５４】
次に、制御部１１１は、ｉ＝ｎであるか否かを判別して、ｉ＝ｎでなければ（ステップＳ７０４のＮｏ）、ｉ＝ｉ＋１にして（ステップＳ７０５）、再び、ｉの識別番号が割り当てられたＲＦＩＤリーダ５００からＲＦＩＤタグ５１０の情報を取得する（ステップＳ７０２）。このようにして、制御部１１１は、識別番号の１からｎまで順に、ステップＳ７０１およびステップＳ７０２を繰り返す。
【００５５】
ｎの識別番号のＲＦＩＤリーダ５００からＲＦＩＤタグ５１０の情報を取得して、すべてのＲＦＩＤリーダ５００から取得したＲＦＩＤタグ５１０の情報をタグ情報１１４に格納すると（ステップＳ１４のＹｅｓ）、制御部１１１は、通信部１１３から通信回線網３００を介して、管理装置２００へタグ情報１６を送信する（ステップＳ７０６）。
【００５６】
タグ情報１１４を取得した管理装置２００は、これを表示画面に表示する（ステップＳ７０７）。
【００５７】
管理装置２００に表示される画面には、例えば、図８に示すように、波長分割多重伝送装置１００が設置されている場所、チャネル名ごとの光学部品５１０の情報が表示される。
【００５８】
以上、説明したとおり、遠隔地にいる者でも、本発明の実施形態に係る光通信システムによって、波長分割多重伝送装置で使われている光学部品についての情報や、光学部品が取り付けられている場所の情報を収集できる。
【００５９】
なお、本実施例においては、1台の波長分割多重伝送装置のみが通信回線網に接続されているが、これに限定されない。すなわち、複数の波長分割多重伝送装置を通信回線網に接続させて、複数の波長分割多重伝送装置から、それぞれが有する光学部品の情報が収集されるようにしてもよい。
【図面の簡単な説明】
【００６０】
【図１】本発明の第一の実施形態に係る光通信システムを示す図である。
【図２】本発明の第一の実施形態に係る報知動作を示すフロー図である。
【図３】本発明の第二の実施形態に係る光通信システムを示す図である。
【図４】本発明の第二の実施形態に係る波長分割多重伝送装置のブロック図である。
【図５】本発明の第二の実施形態に係る個別波長信号処理部を説明する図である。
【図６】本発明の第二の実施形態に係る波長分割多重伝送装置のデータ処理部と個別波長信号処理部の接続関係を示す図である。
【図７】本発明の第一の実施形態に係る報知動作を示すフロー図である。
【図８】本発明の実施形態に係る表示装置の画面の表示例を示す図である。
【符号の説明】
【００６１】
１０        通信装置
１１        部品
１２        タグメモリ
１３        通信区画
１４        電波遮蔽体
１５        読取装置
１６        内部バス
１７        制御部
１８        通信部
１９        外部のネットワーク
２０        管理装置
２１        管理部
３０        通信回線網
６０        通信システム
１００      波長分割多重伝送装置
１１０      データ処理部
１２０      波長分離部
１３０−１〜ｎ  個別波長信号処理部
１４０      波長多重部
１５０      光アンプ部
２００      管理装置
３００      通信回線網
４００      光信号
５００      ＲＦＩＤリーダ
５１０      ＲＦＩＤタグ
５５０      光学部品
５８０      電波遮断板
６００      光通信システム
７００      バス
【図１】
2010011315.tif 000003
【図２】
2010011315.tif 000004
【図３】
2010011315.tif 000005
【図４】
2010011315.tif 000006
【図５】
2010011315.tif 000007
【図６】
2010011315.tif 000008
【図７】
2010011315.tif 000009
【図８】
2010011315.tif 000010